(57)【要約】      （修正有）【課題】既設定された整列基準に基づいてスレーブ装置が整列された装置目録を提供するホスト装置及びその制御方法を提供する。【解決手段】ホスト装置は、スレーブ装置が接続されるＩＥＥＥ１３９４インターフェース部と、スレーブ装置に対する装置目録表示命令が入力される入力部と、スレーブ装置の装置情報のうち、装置種類を用いて、既設定された装置種類の整列基準に基づいて前記スレーブ装置を整列することにより、前記スレーブ装置の装置目録を生成する装置目録管理部と、表示部と、装置目録表示命令が入力された場合、装置目録が生成されるように前記装置目録管理部を制御し、装置目録が表示部に表示されるように制御する制御部とを備える。これにより、所定メモリ領域を低減できるので、製品生産単価を下げることができる。【選択図】図３
2006048705.tif 000002
【特許請求の範囲】
【請求項１】
ＩＥＥＥ１３９４バスを介して１つ以上のスレーブ装置と接続され、表示機能付ホスト装置において、
前記スレーブ装置が接続されるＩＥＥＥ１３９４インターフェース部と、
接続された前記スレーブ装置に対する装置目録表示命令が入力される入力部と、
前記スレーブ装置の装置情報のうち、装置種類を用いて、既設定された装置種類の整列基準に基づいて前記スレーブ装置を整列することにより、前記スレーブ装置の装置目録を生成する装置目録管理部と、
表示部と、
前記装置目録表示命令が入力された場合、前記装置目録が生成されるように前記装置目録管理部を制御し、生成された前記装置目録が前記表示部に表示されるように制御する制御部とを備えることを特徴とするホスト装置。
【請求項２】
前記ＩＥＥＥ１３９４インターフェース部に接続された、前記スレーブ装置の装置情報を収集するＩＥＥＥ１３９４バスドライバ部をさらに備え、
前記制御部は、前記装置目録表示命令が入力された場合、前記スレーブ装置の装置情報を収集して前記装置目録管理部に提供するように、前記ＩＥＥＥ１３９４バスドライバ部を制御することを特徴とする請求項１に記載のホスト装置。
【請求項３】
前記装置目録管理部は、前記装置種類の整列基準に基づいて、前記スレーブ装置が整列された場合、整列された前記スレーブ装置のうち、同一種類装置が２個以上存在しているか否かを判断し、判断結果、存在する場合、前記２個以上の同一種類装置を既設定された同一種類装置の整列基準に基づいて整列して、前記装置目録に反映するように処理することを特徴とする請求項１に記載のホスト装置。
【請求項４】
前記同一種類装置の整列基準は、前記装置情報のうち、製造会社名の文字順に前記２個以上の同一種類装置を整列させる基準であることを特徴とする請求項３に記載のホスト装置。
【請求項５】
前記同一種類装置の整列基準は、前記装置情報のうち、製造会社名から特定社名を最優先にして整列させる基準であることを特徴とする請求項３に記載のホスト装置。
【請求項６】
前記装置目録管理部は、前記同一種類装置の整列基準に基づいて、前記同一種類装置が整列された場合、整列された前記同一種類装置のうち、同一会社装置が２個以上存在しているか否かを判断し、判断結果、存在する場合、前記２個以上の同一会社装置を既設定された同一会社装置の整列基準に基づいて整列して、前記装置目録に反映するように処理することを特徴とする請求項３に記載のホスト装置。
【請求項７】
前記同一会社装置の整列基準は、前記装置情報のうち、ＧＵＩＤ(Ｇｌｏｂａｌ  Ｕｎｉｑｕｅ  ＩＤｄｅｎｔｉｆｉｅｒ）の順に前記２個以上の同一会社装置を整列させる基準であることを特徴とする請求項６に記載のホスト装置。
【請求項８】
前記２個以上の同一会社装置が、前記同一会社装置の整列基準に基づいて整列された後、前記２個以上の同一会社装置に整列された通り一連番号を付与して、前記装置目録に反映するように処理することを特徴とする請求項６に記載のホスト装置。
【請求項９】
ＩＥＥＥ１３９４バスを介して１つ以上のスレーブ装置と接続され、表示機能付ホスト装置の制御方法において、
接続された前記スレーブ装置に対する装置目録表示命令が入力された場合、前記スレーブ装置の装置情報を収集するステップと、
収集された前記スレーブ装置の装置情報のうち、装置種類を用いて、既設定された装置種類の整列基準に基づいて前記スレーブ装置を整列するステップと、
整列された前記スレーブ装置の装置目録を生成するステップと、
生成された前記装置目録を表示するステップとを含むことを特徴とする制御方法。
【請求項１０】
前記装置種類の整列基準に基づいて前記スレーブ装置が整列された場合、整列された前記スレーブ装置のうち、同一種類装置が２個以上存在しているか否かを判断するステップと、
判断結果、存在する場合、前記２個以上の同一種類装置を既設定された同一種類装置の整列基準に基づいて整列するステップとをさらに含むことを特徴とする請求項９に記載の制御方法。
【請求項１１】
前記同一種類装置の整列基準は、前記装置情報のうち、製造会社名の文字順に前記２個以上の同一種類装置を整列させる基準であることを特徴とする請求項１０に記載の制御方法。
【請求項１２】
前記同一種類装置の整列基準は、前記装置情報のうち、製造会社名から特定会社名を最優先にして整列させる基準であることを特徴とする請求項１０に記載の制御方法。
【請求項１３】
前記同一種類装置の整列基準に応じて、前記同一種類装置が整列された場合、整列された前記同一種類装置のうち、同一会社装置が２個以上存在しているか否かを判断するステップと、
判断結果、存在する場合、前記２個以上の同一会社装置を既設定された同一会社装置の整列基準に基づいて整列するステップとをさらに含むことを特徴とする請求項１０に記載の制御方法。
【請求項１４】
前記同一会社装置の整列基準は、前記装置情報のうち、ＧＵＩＤ(Ｇｌｏｂａｌ  Ｕｎｉｑｕｅ  ＩＤｄｅｎｔｉｆｉｅｒ）の順に前記２個以上の同一会社装置を整列させる基準であることを特徴とする請求項１３に記載の制御方法。
【請求項１５】
前記２個以上の同一会社装置が、前記同一会社装置の整列基準に基づいて整列された後、前記２個以上の同一会社装置に整列された通り一連番号を付与して、前記装置目録に反映するように処理することを特徴とする請求項１３に記載の制御方法。
【請求項１６】
ＩＥＥＥ１３９４バスを介して１つ以上のスレーブ装置と接続され、表示機能付ホスト装置の制御方法において、
接続された前記スレーブ装置に対する装置目録表示命令が入力された場合、前記スレーブ装置の装置情報を収集するステップと、
収集された前記スレーブ装置の装置情報のうち、装置種類、製造会社名及びＧＵＩＤ(Ｇｌｏｂａｌ  Ｕｎｉｑｕｅ  ＩＤｄｅｎｔｉｆｉｅｒ）のうち、少なくとも１つの情報を用いて、既設定される整列基準に基づいて前記スレーブ装置を整列するステップと、
整列された前記スレーブ装置の装置目録を生成するステップと、
生成された前記装置目録を表示するステップとを含むことを特徴とする制御方法。
【請求項１７】
前記スレーブ装置を整列するステップにおいて、前記製造会社名を用いる場合、前記整列基準は、前記製造会社名の文字順に整列させる基準であることを特徴とする請求項１６に記載の制御方法。
【請求項１８】
前記スレーブ装置を整列するステップにおいて、前記製造会社名を用いる場合、前記整列基準は、前記製造会社名から特定会社名を最優先にして整列させる基準であることを特徴とする請求項１６に記載の制御方法。
【発明の詳細な説明】
【技術分野】
【０００１】
本発明は、ＩＥＥＥ(Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ)１３９４が採用されたホスト装置及びその制御方法に関する。
【背景技術】
【０００２】
近年、各種デジタル装置が登場しており、このような装置同士の間にネットワークの構築のためのデジタルインターフェースとして、ＩＥＥＥ１３９４が注目されつつある。特に、ＩＥＥＥ１３９４は、デジタルテレビ分野でＨＤ(Ｈｉｇｈ  Ｄｅｆｉｎｉｔｉｏｎ)ストリームを伝送するための唯一の規格として認められながら、より一層大きな注目を浴びている。
【０００３】
ＩＥＥＥ１３９４は、米国電気電子学会(ＩＥＥＥ)が標準化した、シリアルインターフェースの規格である。ＩＥＥＥ１３９４は、コンピュータ周辺装置、ビデオカメラ、オーディオ製品、テレビ、ビデオカセットレコーダー(ＶＣＲ)、ケーブルセットボックス、ＡＶＨＤＤ(Ａｕｄｉｏ／Ｖｉｄｅｏ  Ｈａｒｄ  Ｄｉｓｋ  Ｄｒｉｖｅ)、ＤＶＨＳ、ＭＰＥＧカムコーダなど(以下、「スレーブ装置」と記す）をパーソナルコンピュータ、デジタルテレビなど(以下、「ホスト装置」と記す)に接続するインターフェースとして開発された。データ伝送速度は、秒当たり１００ＭＢ、２００ＭＢ、４００ＭＢの３種が規定されている。ホスト装置の稼動状態でそのまま接続できるホットプラグイン(ｈｏｔ  ｐｌｕｇ−ｉｎ）を支援し、最大６３台のスレーブ装置まで接続可能である。データ伝送は、同時(ｉｓｏｃｈｒｏｎｏｕｓ)伝送と非同期(ａｓｙｎｃｈｒｏｎｏｕｓ)伝送との２つの方式が可能である。同時伝送は、リアルタイム伝送であるため、動画や音声など同時性が要求されるマルチメディア情報を伝達するインターフェースに適し、非同期伝送は、データを分割し伝送する方式であるため、パーソナルコンピュータとプリンタなどの周辺装置との間のデータ伝達に用いられることができる。
【０００４】
一方、ユーザは、ホスト装置に複数のスレーブ装置が接続された場合、ホスト装置を介して接続されたスレーブ装置の装置名を表示する目録(以下、「装置目録」と記す)を見ることを望むことができる。ただし、装置目録を提供するために、従来には別のメモリ領域を必要とした。
【０００５】
図１は、従来のホスト装置に接続されたスレーブ装置の装置目録表示方法を説明するためのフローチャートである。
【０００６】
まず、ユーザは、１つのスレーブ装置ないしは複数のスレーブ装置をホスト装置に接続する(Ｓ１０)。そうすると、ホスト装置は、ＩＥＥＥ１３９４バスをリセットする(Ｓ１１)。通常、ＩＥＥＥ１３９４バスリセットは、ホスト装置にスレーブ装置が接続されるか、除去される場合に行われる。
【０００７】
そして、バスリセット後、ホスト装置は、各スレーブ装置に付与された装置情報(以下、「装置情報」と記す)を収集する(Ｓ１２)。ここで、装置情報の例では、ノードＩＤ(Ｎｏｄｅ  ＩＤｄｅｎｔｉｆｉｅｒ)、ＧＵＩＤ(Ｇｌｏｂａｌ  Ｕｎｉｑｕｅ  ＩＤｄｅｎｔｉｆｉｅｒ）、装置種類、モデル名、製造会社名などを挙げることができる。ここで、ノードＩＤは、ＩＥＥＥ１３９４バスリセットごとに変更され、ＧＵＩＤは、各スレーブ装置に割り当てられた固有の識別番号を意味する。
【０００８】
そして、ホスト装置は、収集されたＧＵＩＤを含む装置情報を所定メモリに格納する(Ｓ１３)。通常、所定メモリでは、ＮＶＲＡＭ(Ｎｏｎｖｏｌａｔｉｌｅ  Ｒａｎｄｏｍ  Ａｃｃｅｓｓ  Ｍｅｍｏｒｙ）が採用される。
【０００９】
但し、この際、各スレーブ装置ごとに所定装置名を採用し、装置情報を格納する。例えば、スレーブ装置がケーブルセットボックスである場合、ＳＴＢを、テレビである場合、ＴＶを各々採用し、これに対応されるように装置情報を格納する。
【００１０】
但し、同一種類のスレーブ装置が２つ以上である場合、装置名に続いて一連番号を追加しスレーブ装置を区分する。例えば、装置名ＤＶＨＳが２個である場合、１つの装置名としてＤＶＨＳ1を割り当て、残り１つの装置名としてＤＶＨＳ２を割り当てる。以下、これを「ナンバリング作業」と称する。
【００１１】
一方、ユーザがスレーブ装置の装置目録を見るために、ホスト装置に装置目録表示命令を入力した場合(Ｓ１４)、それに基づいて、ホスト装置は、所定メモリに格納された装置情報を読み出す(Ｓ１５)。この場合、現在接続されたスレーブ装置のＧＵＩＤに基づいて、スレーブ装置の装置情報を読み出す。
【００１２】
そして、ホスト装置は、読み出された装置情報を用いて装置目録を作成し(Ｓ１６)、これを表示する(Ｓ１７)。
【００１３】
このように作成された装置目録の例が、図２Ａ及び図２Ｂに各々示されている。図２Ａは、従来の一装置目録を示す図であり、図２Ｂは、図２Ａとは異なる従来の装置目録を示す図である。
【００１４】
図２Ａの装置目録２０には、図示されているように、ＳＴＢ、ＤＶＨＳ１、ＤＶＨＳ２、ＣＡＭＣＯＲＤＥＲが表示されている。これはホスト装置に接続されたスレーブ装置が１個のケーブルセットボックス、２個のＤＶＨＳ、１個のＭＰＥＧカムコーダであることを意味する。
【００１５】
一方、図２Ｂの装置目録３０には、ＳＴＢ、ＤＶＨＳ２、ＣＡＭＣＯＲＤＥＲが表示されている。これはホスト装置に接続されたスレーブ装置が各々１個ずつのケーブルセットボックス、ＤＶＨＳ、ＭＰＥＧカムコーダであることを意味する。この場合、ＤＶＨＳが１個であるにも関わらず、実際の装置目録で表示されることはＤＶＨＳ２である。その理由は、スレーブ装置の装置情報が所定メモリに格納される際の装置名が表示されたためである。すなわち、所定メモリに格納される時の装置名をスレーブ装置のＧＵＩＤを介して読み出し、これを利用して装置目録を作成するためである。例えば、以前にＤＶＨＳが２個であったため、装置目録にＤＶＨＳ１、ＤＶＨＳ２と各々表示された後(図２Ａ参照)、ＤＶＨＳ１と登録されたスレーブ装置がホスト装置から除去された場合、ＤＶＨＳ２と格納されたスレーブ装置は、引続きＤＶＨＳ２と格納されているため、ＤＶＨＳ２と格納されたスレーブ装置は、以後に装置目録を作成する場合には、引続きＤＶＨＳ２と表示される。したがって、このような場合、ユーザに不明確に装置目録が表示されるという問題がある。すなわち、このような場合、ユーザにＤＶＨＳが１個であるか２個であるか、混同を与えるおそれがあるという問題がある。
【００１６】
一方、従来の方法によれば、スレーブ装置の装置情報を格納するために、所定メモリ領域を必要とするので、製品生産単価を上昇させ得るという問題がある。
【発明の開示】
【発明が解決しようとする課題】
【００１７】
本発明は、上記した課題を解決するためになされたものであって、その目的は、装置目録を作成するためのスレーブ装置の装置情報を別に格納せずに、装置種類、製造会社名及びＧＵＩＤのうち、少なくとも１つの情報を用いて、既設定された整列基準に基づいてスレーブ装置が整列された装置目録を提供するホスト装置及びその制御方法を提供することにある。
【課題を解決するための手段】
【００１８】
そこで、上述した目的を達成するため、本発明に係るホスト装置は、ＩＥＥＥ１３９４バスを介して１つ以上のスレーブ装置と接続され、表示機能付ホスト装置において、前記スレーブ装置が接続されるＩＥＥＥ１３９４インターフェース部と、接続された前記スレーブ装置に対する装置目録表示命令が入力される入力部と、前記スレーブ装置の装置情報のうち、装置種類を用いて、既設定された装置種類の整列基準に基づいて前記スレーブ装置を整列することにより、前記スレーブ装置の装置目録を生成する装置目録管理部と、表示部と、前記装置目録表示命令が入力された場合、前記装置目録が生成されるように前記装置目録管理部を制御し、生成された前記装置目録が前記表示部に表示されるように制御する制御部とを備える。
【００１９】
前記ホスト装置は、前記ＩＥＥＥ１３９４インターフェース部に接続された、前記スレーブ装置の装置情報を収集するＩＥＥＥ１３９４バスドライバ部をさらに備え、前記制御部は、前記装置目録表示命令が入力された場合、前記スレーブ装置の装置情報を収集して前記装置目録管理部に提供するように、前記ＩＥＥＥ１３９４バスドライバ部を制御する。
【００２０】
前記装置目録管理部は、前記装置種類の整列基準に基づいて、前記スレーブ装置が整列された場合、整列された前記スレーブ装置のうち、同一種類装置が２個以上存在しているか否かを判断し、判断結果、存在する場合、前記２個以上の同一種類装置を既設定された同一種類装置の整列基準に基づいて整列して、前記装置目録に反映するように処理する。
【００２１】
前記同一種類装置の整列基準は、前記装置情報のうち、製造会社名の文字順に前記２個以上の同一種類装置を整列させる基準であることが好ましい。
【００２２】
前記同一種類装置の整列基準は、前記装置情報のうち、製造会社名から特定社名を最優先にして整列させる基準であることが好ましい。
【００２３】
前記装置目録管理部は、前記同一種類装置の整列基準に基づいて、前記同一種類装置が整列された場合、整列された前記同一種類装置のうち、同一会社装置が２個以上存在しているか否かを判断し、判断結果、存在する場合、前記２個以上の同一会社装置を既設定された同一会社装置の整列基準に基づいて整列して、前記装置目録に反映するように処理する。
【００２４】
前記同一会社装置の整列基準は、前記装置情報のうち、ＧＵＩＤ(Ｇｌｏｂａｌ  Ｕｎｉｑｕｅ  ＩＤｄｅｎｔｉｆｉｅｒ）の順に前記２個以上の同一会社装置を整列させる基準であることが好ましい。
【００２５】
前記２個以上の同一会社装置が、前記同一会社装置の整列基準に基づいて整列された後、前記２個以上の同一会社装置に整列された通り一連番号を付与して、前記装置目録に反映するように処理することが好ましい。
【００２６】
また、上記の目的を達成するため、本発明の制御方法によれば、ＩＥＥＥ１３９４バスを介して１つ以上のスレーブ装置と接続され、表示機能付ホスト装置の制御方法において、接続された前記スレーブ装置に対する装置目録表示命令が入力された場合、前記スレーブ装置の装置情報を収集するステップと、収集された前記スレーブ装置の装置情報のうち、装置種類を用いて、既設定された装置種類の整列基準に基づいて前記スレーブ装置を整列するステップと、整列された前記スレーブ装置の装置目録を生成するステップと、生成された前記装置目録を表示するステップとを含む。
【００２７】
また、上記の目的を達成するため、本発明の制御方法によれば、ＩＥＥＥ１３９４バスを介して１つ以上のスレーブ装置と接続され、表示機能付ホスト装置の制御方法において、接続された前記スレーブ装置に対する装置目録表示命令が入力された場合、前記スレーブ装置の装置情報を収集するステップと、収集された前記スレーブ装置の装置情報のうち、装置種類、製造会社名及びＧＵＩＤ(Ｇｌｏｂａｌ  Ｕｎｉｑｕｅ  ＩＤｄｅｎｔｉｆｉｅｒ）のうち、少なくとも１つの情報を用いて、既設定される整列基準に基づいて前記スレーブ装置を整列するステップと、整列された前記スレーブ装置の装置目録を生成するステップと、生成された前記装置目録を表示するステップとを含む。
【発明の効果】
【００２８】
上述したように、従来には、スレーブ装置の装置情報を格納するための所定メモリ領域を必要としたため、製品生産単価を上昇させるという問題があったが、本発明に係るホスト装置及びその制御方法によれば、スレーブ装置の装置情報を格納するための所定メモリ領域を必要としないので、小さなメモリを製品に使用することができ、それにより製品生産単価が低くなるという長所がある。
【００２９】
また、本発明によれば、１つ以上のスレーブ装置の接続あるいは除去によりバスリセットが発生された場合でも、スレーブ装置の順序が一貫して整列されるという長所がある。また、スレーブ装置の装置名も流動的に現状況に合うように変更されることにより、ユーザに混同を与える不便さがないという長所がある。
【発明を実施するための最良の形態】
【００３０】
以下、添付した図面を参照しながら本発明の一実施の形態をさらに詳細に説明する。但し、本発明を説明するにおいて、関連公知機能あるいは構成に対する具体的な説明が本発明の要旨を不必要にぼかすことができると判断される場合、それに対する詳細な説明は省略する。
【００３１】
（実施形態１）
以下の説明では、説明の便宜上、ホスト装置としてデジタルテレビを採用して説明するが、本発明の権利範囲はこれに限定されるものではない。
【００３２】
図３は、本発明の好ましい実施形態に係るデジタルテレビ及びこれに接続された各種スレーブ装置を概略的に示す図である。図３に示されているように、各種スレーブ装置として、２個のＤＶＨＳ２１０、２２０、１個のケーブルセットボックス２３０、１個のＭＰＥＧカムコーダ２４０が示されている。ホスト装置であるデジタルテレビ１００と各種スレーブ装置２１０、２２０、２３０、２４０とは、ＩＥＥＥ１３９４バスを介して接続する。本発明に係るデジタルテレビ１００において、装置目録表示命令が入力された場合、接続された各種スレーブ装置２１０、２２０、２３０、２４０の装置情報が収集され、収集された装置情報に応じて各スレーブ装置に割り当てられた装置名は、所定整列基準に基づいて整列されて、デジタルテレビ１００で装置目録として表示される。
【００３３】
図４は、本発明の好ましい実施形態に係るデジタルテレビの内部ブロック図を示す図である。
【００３４】
図３及び図４に示されているように、デジタルテレビ１００は、チューナー１０５、ＩＦ処理部１１０、映像信号処理部１１５、表示部１２０、入力部１２５、メモリ部１３０、ＩＥＥＥ１３９４インターフェース部(以下、「１３９４インターフェース部」と記す)１３５、ＩＥＥＥ１３９４バスドライバ部(以下、「１３９４ドライバ部」と記す)１４０、装置目録管理部１４５、及び制御部１５０を含む。
【００３５】
チューナー１０５は、アンテナを介して受信される複数のチャネルのうち、所定チャネルに対する選局動作を、後述する制御部１５０の制御により行う。ＩＦ処理部１１０は、チューナー１０５により選局されたチャネルの放送信号をＩＦ信号(中間周波信号)に増幅した後、増幅されたＩＦ信号を複合映像信号(ＣＶＢＳ)に変換する。映像信号処理部１１５は、ＩＦ処理部１１０から出力される複合映像信号を、復調及び検波して視聴可能な信号に処理し出力する。言い換えれば、映像信号処理部１１５は、複合映像信号をカラー信号と輝度信号とに分離した後、分離された信号をさらにＲＧＢ復元映像に組み合わせて表示部１２０に提供する。
【００３６】
映像信号処理部１１５から出力される映像信号は、表示部１２０を介して視聴者に映像として提供される。このような表示部１２０は、ＣＲＴ(陰極線管)、ＬＣＤ(液晶表示)、ＰＤＰ(プラズマ表示パネル)など多様な映像具現素子を利用して具現可能である。本発明によれば、入力部１２５を介して装置目録表示命令が入力された場合、装置目録管理部１４５により生成された装置目録が、制御部１５０の制御により表示部１２０に表示される。
【００３７】
入力部１２５は、デジタルテレビ１００で支援する機能を設定または行うための命令を制御部１５０に出力するユーザインターフェースである。このために、入力部１２５は、複数の数字キー、方向キー、確認キーなどのような操作キー(図示せず)を備える。このような入力部１２５には、デジタルテレビ１００の本体に設けられた操作パネル(図示せず)が採用でき、または遠隔制御機(図示せず)が採用され得る。本発明によれば、入力部１２５を介して装置目録表示命令が入力される。装置目録表示命令は、ホスト装置に接続されたスレーブ装置の装置名を目録として作成して、表示部１２０を介して表示するように要求する命令を意味する。
【００３８】
メモリ部１３０には、デジタルテレビ１００の機能を具現するのに必要な制御プログラム、各種アプリケーション、各種データが格納されたり、または制御過程、映像処理過程の遂行中に発生するデータを仮格納する。本発明によれば、メモリ部１３０には、整列基準を格納する。ここで、整列基準は、デジタルテレビ１００に接続された各種スレーブ装置の装置目録を生成する際に採用される情報であって、各スレーブ装置に対する整列方法に対する情報を意味する。整列基準には、装置種類の整列基準、同一種類装置の整列基準、同一会社装置の整列基準などを例に挙げることができる。装置種類の整列基準は、装置を所定の順に整列する基準であり、同一種類装置の整列基準は、２個以上の同一種類装置が存在する場合採用される基準であり、同一会社装置の整列基準は、２個以上の同一会社装置が存在する場合適用される基準を意味する。
【００３９】
整列基準による整列方法は、多様に提示されることができる。但し、好ましい整列方法では、各装置の種類順序を設定し、また同一種類装置の場合、製造会社名のアルファベット順に整列するようにし、また同一会社装置の場合、ＧＵＩＤの順に整列するようにする方法を提示できる。
【００４０】
１３９４インターフェース部１３５は、ＩＥＥＥ１３９４バスを介して各種スレーブ装置２１０、２２０、２３０、２４０とインターフェースする役割を担当し、このために複数の１３９４ポートを備える。したがって、複数の１３９４ポートと各種スレーブ装置２１０、２２０、２３０、２４０のインターフェース部(図示せず)とがＩＥＥＥ１３９４ケーブルなどを介して接続する。
【００４１】
１３９４ドライバ部１４０は、１３９４インターフェース部１３５を駆動及び制御し、これによりＩＥＥＥ１３９４バスを制御する。したがって、１３９４ドライバ部１４０は、デジタルテレビ１００に各種スレーブ装置が接続あるいは除去される場合、ＩＥＥＥ１３９４バスをリセットさせる。また１３９４ドライバ部１４０は、制御部１５０の制御下に１３９４インターフェース部１３５に接続された各種スレーブ装置２１０、２２０、２３０、２４０の装置情報を収集する。一方、１３９４ドライバ部１４０は、収集された各種スレーブ装置２１０、２２０、２３０、２４０の装置情報を装置目録管理部１４５に提供する。
【００４２】
装置目録管理部１４５は、現在１３９４インターフェース部１３５に接続された各種スレーブ装置２１０、２２０、２３０、２４０の装置情報を１３９４ドライバ部１４０から提供される。また装置目録管理部１４５は、提供された装置情報に基づいて装置目録を作成する。この時、メモリ部１３０に格納された整列基準が採用されて装置目録が作成される。このために整列基準は、制御部１５０によりメモリ部１３０から読み出されて装置目録管理部１４５に提供される。
【００４３】
制御部１５０は、ユーザのキー入力またはキー選択により、入力部１２５から発生される信号及びメモリ部１３０に格納された制御プログラムによって、デジタルテレビ１００の全般的な動作を制御する。
【００４４】
本発明に係る制御部１５０は、入力部１２５を介して装置目録表示命令が入力された場合、１３９４ドライバ部１４０を制御して、接続されたスレーブ装置の装置情報を収集するようにし、メモリ部１３０に格納された整列基準を読み出して装置目録管理部１４５を提供する。
【００４５】
図５は、本発明に係るデジタルテレビの制御方法を説明するためのフローチャートである。
【００４６】
以下、図３ないし図５を参照し、本発明に係る装置目録表示方法の説明する。
【００４７】
まず、ユーザにより、入力部１２５を介して装置目録表示命令が入力される(Ｓ３００)。そうすると、１３９４ドライバ部１４０により、１３９４インターフェース部１３５に接続された各種スレーブ装置２１０、２２０、２３０、２４０の装置情報が収集される(Ｓ３０５)。本発明によれば、装置情報としては、装置種類、ＧＵＩＤ、製造会社名などを例として提示できる。
【００４８】
そして、収集された装置情報は、装置目録管理部１４５に伝達される（Ｓ３１０)。
【００４９】
そして、制御部１５０の制御下にメモリ部１３０に格納された整列基準が読み出されて、装置目録管理部１４５に提供される(Ｓ３１５)。本実施形態では、整列基準として、装置種類の整列基準、同一種類装置の整列基準、同一会社装置の整列基準などを提示する。
【００５０】
そうすると、提供された整列基準に基づいて、装置目録管理部１４５により装置情報が整列される。これを詳細に説明すれば、次の通りである。
【００５１】
まず、スレーブ装置２１０、２２０、２３０、２４０が装置種類の整列基準に基づいて、装置種類の順に装置目録管理部１４５により分類される(Ｓ３２０)。例えば、スレーブ装置２１０、２２０、２３０、２４０の順序では、テレビ→ケーブルセットボックス→ＡＶＨＤＤ→ＤＶＨＳ→ＭＰＥＧカムコーダなどを例に挙げることができる。
【００５２】
そして、ステップＳ３２０で分類された結果に、同一種類装置が２個以上存在するか否かが装置目録管理部１４５により判断される(Ｓ３２５)。
【００５３】
ステップＳ３２５による判断結果、同一種類装置が２個以上存在しない場合、すなわち、接続されたスレーブ装置が全て異なる種類装置である場合、ステップＳ３２０で分類された装置種類の順に、装置目録が装置目録管理部１４５により作成されて表示部１２０に表示される。
【００５４】
これに対し、ステップＳ３２５による判断結果、同一種類装置が２個以上存在する場合、所定同一種類装置の整列基準に基づいて同一種類装置を整列させる(Ｓ３３０)。本実施形態では、製造会社名のアルファベット順に整列する方法を例に挙げた。しかし、本発明の権利範囲は、必ずしもこれに限定されるものではない。実施形態によっては、特定文字の順に整列することも可能である。また、製造会社名のうち、特定製造会社名を最優先にして整列するように処理することも可能である。
【００５５】
そして、ステップＳ３３０の整列された結果において、同一会社装置が２個以上存在しているか否かが、装置目録管理部１４５により判断される(Ｓ３３５)。ステップＳ３３５の判断結果、同一会社装置が２個以上存在する場合、所定同一会社装置の整列基準に基づいて、同一会社装置を整列させる(Ｓ３４０)。本実施形態では、ＧＵＩＤの順に整列する方法を例に挙げた。しかし、本発明の権利範囲は、必ずこれに限定されるものではない。
【００５６】
そして、ステップＳ３３５において、同一会社装置が２個以上存在しない場合、及びステップＳ３４０においてＧＵＩＤの順に整列された場合、同一種類装置に対して各々一連番号を付けるナンバリング作業を行う(Ｓ３４５)。また、装置目録管理部１４５は、以上のようなスレーブ装置の整列に基づいて装置目録を生成し、制御部１５０は、装置目録が表示されるように処理する。すなわち、ステップＳ３２０ないしステップＳ３４５により整列されたスレーブ装置の装置名に対する装置目録が表示部１２０に表示される(Ｓ３５０)。
【００５７】
以上のように、遂行過程により生成された装置目録の一例が、図６Ａ及び図６Ｂに示されている。
【００５８】
図６Ａの装置目録４００には、図示されているように、ＳＴＢ、ＤＶＨＳ１、ＤＶＨＳ２、ＣＡＭＣＯＲＤＥＲが表示されている。これはホスト装置に接続されたスレーブ装置が１個のケーブルセットボックス、２個のＤＶＨＳ、１個のＭＰＥＧカムコーダであることを意味する。
【００５９】
一方、図６Ｂの装置目録５００には、ＳＴＢ、ＤＶＨＳ、ＣＡＭＣＯＲＤＥＲが表示されている。これは、ホスト装置に接続されたスレーブ装置が、各々１個ずつのケーブルセットボックス、ＤＶＨＳ、ＭＰＥＧカムコーダであることを意味する。
【００６０】
以上のように、図６Ａには、図２Ａと同様な装置目録４００が示されている。しかし、図６Ｂには図２Ｂとは異なる装置目録５００が示されている。これは、従来にはスレーブ装置の装置情報が所定メモリに格納される時、各スレーブ装置に対する装置名が固定されるように設定されるので、図２Ｂのような装置目録３０で表示されるが、本発明による場合には、ユーザによる装置目録表示命令が入力される時、各スレーブ装置に対する装置名が流動的に設定されるので、図６Ｂのような装置目録５００が表示される。
【００６１】
但し、以上の説明において、整列基準を適用する順序として装置種類、そのうち、同一種類装置、そのうち、同一会社装置を適用する順序を例としたが、本発明はこれに限定されるものではなく、整列基準を適用する順序を変更して装置目録を生成する実施形態も本発明の技術的思想に含まれることは言うまでもない。
【００６２】
なお、本発明は、上記の実施の形態に限定されるものではなく、本発明に係る技術的思想から逸脱しない範囲内で様々な変更が可能であり、それらも本発明の技術的範囲に属する。
【図面の簡単な説明】
【００６３】
【図１】従来のホスト装置に接続されたスレーブ装置の装置目録表示方法を説明するためのフローチャートである。
【図２Ａ】従来の一装置目録を示す図である。
【図２Ｂ】図２Ａとは異なる従来の装置目録を示す図である。
【図３】本発明の好ましい実施形態に係るデジタルテレビ及びこれに接続された各種スレーブ装置を概略的に示す図である。
【図４】本発明の好ましい実施形態に係るデジタルテレビの内部ブロック図を示す図である。
【図５】本発明に係るデジタルテレビの制御方法を説明するためのフローチャートである。
【図６Ａ】本発明に係る一装置目録を示す図である。
【図６Ｂ】図６Ａとは異なる本発明に係る装置目録を示す図である。
【符号の説明】
【００６４】
１００  デジタルテレビ
１０５  チューナー
１１０  ＩＦ処理部
１１５  映像信号処理部
１２０  表示部
１２５  入力部
１３０  メモリ部
１３５  １３９４ポート
１４０  ＩＥＥＥ１３９４バスドライバ部
１４５  装置目録管理部
１５０  制御部
２３０  ケーブルセットボックス
２４０  ＭＰＥＧカムコーダ
【図１】
2006048705.tif 000003
【図２Ａ】
2006048705.tif 000004
【図２Ｂ】
2006048705.tif 000005
【図３】
2006048705.tif 000006
【図４】
2006048705.tif 000007
【図５】
2006048705.tif 000008
【図６Ａ】
2006048705.tif 000009
【図６Ｂ】
2006048705.tif 000010